(57)【要約】【課題】ユーザーの使い勝手を向上させる。【解決手段】プロジェクター２００は、複数のインターフェイスのうち、プロジェクター２００に表示させる画像信号が入力されるインターフェイスを選択する選択部２９３と、選択されたインターフェイスが、デイジーチェーン接続可能な対応インターフェイスであるか否か判定する判定部２９５と、選択されたインターフェイスが、対応インターフェイスではない場合であって、プロジェクター２００が他のプロジェクター２００とデイジーチェーン接続された状態において実行可能なデイジーチェーン機能が有効に設定されている場合に、プロジェクター２００を、デイジーチェーン機能を実行させない状態に移行させる機能制御部２９７と、を有する。【選択図】図２
2020202477.tif 000002
【特許請求の範囲】
【請求項１】
画像信号に基づく画像を表示する表示装置の制御方法であって、
前記表示装置が備える複数のインターフェイスのうち、前記表示装置に表示させる画像信号が入力されるインターフェイスを選択するステップと、
選択された前記インターフェイスが、デイジーチェーン接続可能な対応インターフェイスであるか否か判定するステップと、
選択された前記インターフェイスが、前記対応インターフェイスではない場合であって、前記表示装置が他の表示装置とデイジーチェーン接続された状態において実行可能な機能が有効に設定されている場合に、前記表示装置を、前記機能を実行させない状態に移行させるステップと、
を有する表示装置の制御方法。
【請求項２】
前記選択するステップは、前記表示装置の起動時に、前記表示装置の前記機能が有効に設定されており、かつ前記表示装置がスレーブに設定されている場合、前記対応インターフェイスを選択する、請求項１記載の表示装置の制御方法。
【請求項３】
複数の前記インターフェイスへの画像信号の入力を検出するステップを有し、
前記選択するステップは、前記表示装置の前記機能が有効に設定されており、かつスレーブに設定されている場合であって、前記検出するステップにより前記対応インターフェイスへの画像信号の入力が検出された場合、前記対応インターフェイスを選択する、
請求項１又は２記載の表示装置の制御方法。
【請求項４】
複数の前記インターフェイスのいずれかに入力される画像信号に基づく画像を、前記表示装置により表示させるステップを有し、
前記対応インターフェイス以外の他のインターフェイスに入力された画像信号に基づく画像を前記表示装置により表示させた状態において、前記選択するステップにより前記対応インターフェイスが選択されると、前記表示させるステップは、前記他のインターフェイスに入力された画像信号に基づく画像の表示を中止し、前記対応インターフェイスに入力された画像信号に基づく画像を前記表示装置に表示させる、請求項３記載の表示装置の制御方法。
【請求項５】
前記対応インターフェイスは、ＨＤＭＩ（登録商標）又はＨＤＢａｓｅＴ（登録商標）に対応したインターフェイスである、請求項１から４のいずれか１項に記載の表示装置の制御方法。
【請求項６】
画像信号に基づく画像を表示する表示装置であって、
画像信号が入力される複数のインターフェイスと、
複数の前記インターフェイスのうち、前記表示装置に表示させる画像信号が入力されるインターフェイスを選択する選択部と、
選択された前記インターフェイスが、デイジーチェーン接続に対応する予め設定された対応インターフェイスであるか否か判定する判定部と、
選択された前記インターフェイスが、前記対応インターフェイスではない場合であって、前記表示装置が他の表示装置とデイジーチェーン接続された状態において実行可能な機能が有効に設定されている場合に、前記機能を実行させない機能制御部と、
を備える表示装置。
【発明の詳細な説明】
【技術分野】
【０００１】
本発明は、表示装置の制御方法、及び表示装置に関する。
【背景技術】
【０００２】
従来、複数の表示装置をデイジーチェーン接続し、複数の表示装置を連携して動作させるシステムが知られている。
例えば、特許文献１は、メインプロジェクタと、サブプロジェクタとをデイジーチェーン接続したプロジェクタシステムを開示する。このプロジェクタシステムでは、複数のプロジェクタのいずれかにＯＳＤトークンを付与し、ＯＳＤトークンを所持するプロジェクタが自プロジェクタのＯＳＤメニューを表示させる。
【先行技術文献】
【特許文献】
【０００３】
【特許文献１】特開２０１２−１９４４２号公報
【発明の概要】
【発明が解決しようとする課題】
【０００４】
表示装置に、他の表示装置とデイジーチェーン接続したときに実行可能な機能が搭載されている場合、ユーザーは、表示装置をデイジーチェーン接続させたときと、デイジーチェーン接続させていないときとで、機能の有効、無効の設定を切り替える必要がある。この操作は、ユーザーにとって煩わしい操作となる。
【課題を解決するための手段】
【０００５】
上記課題を解決する一態様は、画像信号に基づく画像を表示する表示装置の制御方法であって、前記表示装置が備える複数のインターフェイスのうち、前記表示装置に表示させる画像信号が入力されるインターフェイスを選択するステップと、選択された前記インターフェイスが、デイジーチェーン接続可能な対応インターフェイスであるか否か判定するステップと、選択された前記インターフェイスが、前記対応インターフェイスではない場合であって、前記表示装置が他の表示装置とデイジーチェーン接続された状態において実行可能な機能が有効に設定されている場合に、前記表示装置を、前記機能を実行させない状態に移行させるステップと、を有する表示装置の制御方法である。
【０００６】
上記表示装置の制御方法において、前記選択するステップは、前記表示装置の起動時に、前記表示装置の前記機能が有効に設定されており、かつ前記表示装置がスレーブに設定されている場合、前記対応インターフェイスを選択する構成であってもよい。
【０００７】
上記表示装置の制御方法において、複数の前記インターフェイスへの画像信号の入力を検出するステップを有し、前記選択するステップは、前記表示装置の前記機能が有効に設定されており、かつスレーブに設定されている場合であって、前記検出するステップにより前記対応インターフェイスへの画像信号の入力が検出された場合、前記対応インターフェイスを選択する構成であってもよい。
【０００８】
上記表示装置の制御方法において、複数の前記インターフェイスのいずれかに入力される画像信号に基づく画像を、前記表示装置により表示させるステップを有し、前記対応インターフェイス以外の他のインターフェイスに入力された画像信号に基づく画像を前記表示装置により表示させた状態において、前記選択するステップにより前記対応インターフェイスが選択されると、前記表示させるステップは、前記他のインターフェイスに入力された画像信号に基づく画像の表示を中止し、前記対応インターフェイスに入力された画像信号に基づく画像を前記表示装置に表示させる構成であってもよい。
【０００９】
上記表示装置の制御方法において、前記対応インターフェイスは、ＨＤＭＩ（登録商標）又はＨＤＢａｓｅＴ（登録商標）に対応したインターフェイスである構成であってもよい。
【００１０】
上記課題を解決する別の一態様は、画像信号に基づく画像を表示する表示装置であって、画像信号が入力される複数のインターフェイスと、複数の前記インターフェイスのうち、前記表示装置に表示させる画像信号が入力されるインターフェイスを選択する選択部と、選択された前記インターフェイスが、デイジーチェーン接続に対応する予め設定された対応インターフェイスであるか否か判定する判定部と、選択された前記インターフェイスが、前記対応インターフェイスではない場合であって、前記表示装置が他の表示装置とデイジーチェーン接続された状態において実行可能な機能が有効に設定されている場合に、前記機能を実行させない機能制御部と、を備える表示装置である。
【図面の簡単な説明】
【００１１】
【図１】システム構成図。
【図２】プロジェクターの構成を示すブロック図。
【図３】プロジェクターの動作を示すフローチャート。
【図４】プロジェクターの動作を示すフローチャート。
【発明を実施するための形態】
【００１２】
以下、添付図面を参照して本発明の実施形態について説明する。
図１は、本発明を適用した実施形態のシステム構成図である。
本実施形態は、画像供給装置１００と、複数台のプロジェクター２００とを備えるシステム１である。プロジェクター２００は、本発明の「表示装置」の一例に相当する。画像供給装置１００と、複数台のプロジェクター２００とは、それぞれデイジーチェーンによる接続が可能である。また、各プロジェクター２００は、単独で動作させることも可能である。デイジーチェーンとは、通信を行う複数の装置間を、通信線により直列に接続する方法である。
【００１３】
画像供給装置１００は、プロジェクター２００に画像信号を供給する装置である。プロジェクター２００は、供給された画像信号に基づく画像光ＰＬを生成して、投射面であるスクリーンＳＣに投射する装置である。スクリーンＳＣには、画像光ＰＬに対応した画像が表示される。スクリーンＳＣは平面又は幕で構成され、具体的形状は任意である。また、投射面は、壁面、天井面、床面などの一様な平面であってもよいし、曲面や凹凸面を有していてもよい。
【００１４】
画像供給装置１００には、例えばノートＰＣ(Personal Computer)、デスクトップＰＣやタブレットＰＣ、スマートフォン、ＰＤＡ（Personal Digital Assistant）等を用いることができる。また、画像供給装置１００として、ビデオ再生装置、ＤＶＤ（Digital Versatile Disk）プレーヤー、ブルーレイディスクプレーヤー、ハードディスクレコーダー、テレビチューナー、ＣＡＴＶ（Cable television）のセットトップボックス、ビデオゲーム機等を用いてもよい。
【００１５】
図１には、プロジェクター２００として、プロジェクター２００Ａ、プロジェクター２００Ｂ及びプロジェクター２００Ｃの３台のプロジェクター２００を示すが、システム１を構成するプロジェクター２００の台数は任意である。以下では、プロジェクター２００Ａ、プロジェクター２００Ｂ及びプロジェクター２００Ｃを総称する場合、プロジェクター２００と表記する。
【００１６】
また、図１には、プロジェクター２００Ａ、２００Ｂ及び２００Ｃの３台のプロジェクター２００を、スクリーンＳＣの横方向に横並びに配置した例を示す。プロジェクター２００の配置は、図１に示す横並びの配置に限定されず、例えば、４台のプロジェクター２００を縦２列、横２行に並べるマトリクス配置とすることも可能である。
【００１７】
プロジェクター２００Ａ、２００Ｂ及び２００Ｃは、スクリーンＳＣの異なる領域に画像光ＰＬを投射する。プロジェクター２００Ａが画像光ＰＬを投射する領域を投射領域１０Ａと表記し、プロジェクター２００Ｂが画像光ＰＬを投射する領域を投射領域１０Ｂと表記し、プロジェクター２００Ｃが画像光ＰＬを投射する領域を投射領域１０Ｃと表記する。
【００１８】
画像供給装置１００と、複数台のプロジェクター２００とをデイジーチェーン接続した場合、デイジーチェーン接続の先頭に位置するプロジェクター２００をマスター機という。すなわち、画像供給装置１００に接続され、画像供給装置１００から画像信号を受信するプロジェクター２００をマスター機という。本実施形態では、プロジェクター２００Ａがマスター機として動作する。
【００１９】
また、プロジェクター２００Ａの後段には、プロジェクター２００Ｂが接続され、プロジェクター２００Ｂの後段には、プロジェクター２００Ｃが接続される。プロジェクター２００Ａは、デイジーチェーン接続における接続順位が第１位のプロジェクター２００である。プロジェクター２００Ｂは、デイジーチェーン接続における接続順位が第２位のプロジェクター２００である。プロジェクター２００Ｃは、デイジーチェーン接続における接続順位が第３位のプロジェクター２００である。接続順位が第２位及び第３位であるプロジェクター２００Ｂ及び２００Ｃは、スレーブ機として動作する。
【００２０】
画像供給装置１００と、複数台のプロジェクター２００とをデイジーチェーン接続した場合の動作を説明する。
プロジェクター２００Ａは、画像供給装置１００から供給される画像信号を受信し、受信した画像信号に基づく画像光ＰＬを投射領域１０Ａに投射する。また、プロジェクター２００Ａは、画像供給装置１００から受信した画像信号を後段のプロジェクター２００Ｂに出力する。プロジェクター２００Ｂは、プロジェクター２００Ａから画像信号を受信し、受信した画像信号に基づく画像光ＰＬを投射領域１０Ｂに投射する。また、プロジェクター２００Ｂは、プロジェクター２００Ａから受信した画像信号を後段のプロジェクター２００Ｃに出力する。プロジェクター２００Ｃは、プロジェクター２００Ｂから画像信号を受信し、受信した画像信号に基づく画像光ＰＬを投射領域１０Ｃに投射する。
【００２１】
プロジェクター２００Ａ、２００Ｂ及び２００Ｃは、それぞれ複数のインターフェイスを備える。すなわち、プロジェクター２００Ａ、２００Ｂ及び２００Ｃは、複数の画像供給装置１００を同時に接続することが可能である。図１には、プロジェクター２００がそれぞれ３つのインターフェイスを備える場合を示すが、各プロジェクター２００が備えるインターフェイスの数は任意であり、また、各プロジェクター２００が備えるインターフェイスの数が異なっていてもよい。
【００２２】
プロジェクター２００Ａは、第１インターフェイス２１０Ａ、第２インターフェイス２２０Ａ及び第３インターフェイス２３０Ａの３つのインターフェイスを備える。プロジェクター２００Ｂは、第１インターフェイス２１０Ｂ、第２インターフェイス２２０Ｂ及び第３インターフェイス２３０Ｂの３つのインターフェイスを備える。プロジェクター２００Ｃは、第１インターフェイス２１０Ｃ、第２インターフェイス２２０Ｃ及び第３インターフェイス２３０Ｃの３つのインターフェイスを備える。
以下、第１インターフェイス２１０Ａ、第２インターフェイス２２０Ａ及び第３インターフェイス２３０Ａを総称する場合、インターフェイス２０７Ａと表記する。同様に、第１インターフェイス２１０Ｂ、第２インターフェイス２２０Ｂ及び第３インターフェイス２３０Ｂを総称する場合、インターフェイス２０７Ｂと表記する。第１インターフェイス２１０Ｃ、第２インターフェイス２２０Ｃ及び第３インターフェイス２３０Ｃを総称する場合、インターフェイス２０７Ｃと表記する。また、インターフェイス２０７Ａ、２０７Ｂ及び２０７Ｃを総称する場合、インターフェイス２０７と表記する。
【００２３】
プロジェクター２００Ａ及び２００Ｂは、少なくとも２つのＨＤＭＩインターフェイスを備える。ＨＤＭＩは、登録商標である。また、プロジェクター２００Ｃは、少なくとも１つのＨＤＭＩインターフェイスを備える。ＨＤＭＩインターフェイスは、ＨＤＭＩの通信規格に準拠したインターフェイスであり、デイジーチェーンによる接続が可能なインターフェイスである。ＨＤＭＩインターフェイスによりデイジーチェーン接続することで、上位の装置から受信したデジタルの画像信号を、下位の装置にそのまま出力することができる。
【００２４】
本実施形態では、プロジェクター２００Ａの第１インターフェイス２１０Ａと、第２インターフェイス２２０ＡとがＨＤＭＩインターフェイスである場合について説明する。ま、プロジェクター２００Ｂは、第１インターフェイス２１０Ｂと、第２インターフェイス２２０ＢとがＨＤＭＩインターフェイスである場合について説明する。また、プロジェクター２００Ｃは、第１インターフェイス２１０ＣがＨＤＭＩインターフェイスである場合について説明する。
【００２５】
プロジェクター２００Ａ及び２００Ｂの第３インターフェイス２３０Ａ、２３０Ｂと、プロジェクター２００Ｃの第２インターフェイス２２０Ｃ及び第３インターフェイス２３０Ｃの通信規格は任意である。これらのインターフェイスには、例えば、以下に示す規格のいずれかを適用することができる。
【００２６】
インターフェイスは、例えば、ＤＶＩ（Digital Visual Interface）や、ＨＤＭＩ、Ｄｉｓｐｌａｙ Ｐｏｒｔ等のデジタルインターフェイスの規格に対応するインターフェイスであってもよい。またインターフェイスは、ＶＧＡ（Video Graphics Array）や、Ｄ端子、Ｓ端子等のアナログインターフェイスであってもよい。また、インターフェイスは、ＵＳＢ（Universal Serial Bus）やＥｔｈｅｒｎｅｔ、ＩＥＥＥ１３９４等の通信インターフェイスであってもよい。また、インターフェイスは、ＨＤＢａｓｅＴや、Ｂｌｕｅｔｏｏｔｈ、Ｗｉ−Ｆｉを含む無線ＬＡＮ、ＮＦＣ（Near Field Communication）等の無線通信インターフェイスであってもよい。Ｅｔｈｅｒｎｅｔ、ＨＤＢａｓｅＴ、Ｂｌｕｅｔｏｏｔｈ及びＷｉ−Ｆｉは、登録商標である。
【００２７】
図２は、プロジェクター２００Ａの構成を示すブロック図である。
プロジェクター２００Ａ、プロジェクター２００Ｂ及びプロジェクター２００Ｃは、ほぼ同一の構成を備えている。このため、プロジェクター２００Ａの構成を代表して説明し、他のプロジェクター２００Ｂ及びプロジェクター２００Ｃの構成についての説明は省略する。
なお、図２にはプロジェクター２００Ａの構成を示しているため、プロジェクター２００Ａの各構成要素には「Ａ」の符号を付す。以下の説明では、プロジェクター２００Ｂの構成要素について説明する場合には、「Ｂ」の符号を付し、プロジェクター２００Ｃの構成要素について説明する場合には、「Ｃ」の符号を付す。例えば、プロジェクター２００Ａの制御部は、「制御部２７０Ａ」と表記し、プロジェクター２００Ｂの制御部は、「制御部２７０Ｂ」と表記し、プロジェクター２００Ｃの制御部は、「制御部２７０Ｃ」と表記する。
【００２８】
第１インターフェイス２１０Ａは、コネクター２１１Ａ及び送受信回路２１３Ａを備える。第２インターフェイス２２０Ａは、コネクター２２１Ａ及び送受信回路２２３Ａを備える。第３インターフェイス２３０Ａは、コネクター２３１Ａ及び送受信回路２３３Ａを備える。
【００２９】
コネクター２１１Ａ、２２１Ａ、２３１Ａには、プロジェクター２００Ａと、外部装置とを接続するケーブルが接続される。本実施形態では、第１インターフェイス２１０Ａ及び第２インターフェイス２２０Ａは、ＨＤＭＩインターフェイスであるため、コネクター２１１Ａ及び２２１Ａには、ＨＤＭＩケーブルが接続される。
【００３０】
図２には、画像供給装置１００と、プロジェクター２００Ａと、プロジェクター２００Ｂとをデイジーチェーン接続した状態を示す。例えば、図２に示すように第１インターフェイス２１０Ａに画像供給装置１００を接続し、第２インターフェイス２２０Ａにプロジェクター２００Ｂを接続したと仮定する。この場合、画像供給装置１００に接続されたＨＤＭＩケーブル２０がコネクター２１１Ａに接続され、プロジェクター２００Ｂに接続されたＨＤＭＩケーブル３０がコネクター２２１Ａに接続される。
また、画像供給装置１００に接続されたＨＤＭＩケーブル２０をコネクター２２１Ａに接続し、プロジェクター２００Ｂに接続されたＨＤＭＩケーブル３０をコネクター２１１Ａに接続してもよい。
【００３１】
ケーブルが接続されたコネクター２１１Ａ、２２１Ａ、２３１Ａには、画像信号及び制御信号が入力される。第１インターフェイス２１０Ａ、第２インターフェイス２２０Ａ及び第３インターフェイス２３０Ａは、入力された画像信号及び制御信号を、対応する送受信回路２１３Ａ、２２３Ａ、２３３Ａで受信する。
【００３２】
本実施形態では、第１インターフェイス２１０Ａ及び第２インターフェイス２２０Ａが、ＨＤＭＩの通信規格に対応したインターフェイスである。このため、送受信回路２１３Ａ及び２２３Ａは、受信した画像信号のシリアル−パラレル変換や、信号レベル変変換等の処理を行う。また、送受信回路２１３Ａ及び２２３Ａは、画像信号に含まれる画像データを取り出し、取り出した画像データを画像処理部２６１Ａに出力する。また、送受信回路２１３Ａ及び２２３Ａは、受信した制御信号を制御部２７０Ａに出力する。制御部２７０Ａは、入力される制御信号に基づいてプロジェクター２００Ａの各部を制御する。さらに、送受信回路２１３Ａ及び２２３Ａは、画像信号が入力された場合、画像信号の入力を通知する通知信号を制御部２７０に出力する。
【００３３】
また、送受信回路２１３Ａ、２２３Ａ及び２３３Ａは、それぞれ制御部２７０Ａに接続される。さらに、送受信回路２１３Ａと、送受信回路２２３Ａとは、信号線で接続される。
図２に示すように第１インターフェイス２１０Ａに画像供給装置１００が接続され、第２インターフェイス２２０Ａにプロジェクター２００Ｂが接続され、後述するデイジーチェーン機能が有効に設定されたと仮定する。この場合、制御部２７０Ａは、第１インターフェイス２１０Ａが受信した画像信号を第２インターフェイス２２０Ａへ出力させる。第２インターフェイス２２０Ａは、入力された画像信号を、ＨＤＭＩケーブル３０を介してプロジェクター２００Ｂに出力する。
【００３４】
また、第２インターフェイス２２０Ａに画像供給装置１００が接続され、第１インターフェイス２１０Ａにプロジェクター２００Ｂが接続され、デイジーチェーン機能が有効に設定されたと仮定する。この場合、制御部２７０Ａは、第２インターフェイス２２０Ａに、第２インターフェイス２２０Ａが受信した画像信号を、第１インターフェイス２１０Ａに出力させる。第１インターフェイス２１０Ａは、入力された画像信号を、ＨＤＭＩケーブル２０を介してプロジェクター２００Ｂに出力する。
【００３５】
また、本実施形態は、第３インターフェイス２３０Ａが、アナログインターフェイスの規格に対応したコネクター２３１Ａ及び送受信回路２３３Ａを備える構成である場合について説明する。送受信回路２３３Ａには、アナログの画像信号が入力される。送受信回路２３３Ａは、例えば、Ａ／Ｄコンバーターを備え、入力されたアナログの画像信号を、Ａ／Ｄコンバーターによりデジタルの画像データに変換する。Ａ／Ｄコンバーターの図示は省略する。送受信回路２３３Ａは、変換した画像データを画像処理部２６１Ａに出力する。
また、送受信回路２３３Ａは、Ａ／Ｄコンバーターに画像信号が入力されたことを検知して、画像信号の入力を通知する通知信号を制御部２７０Ａに出力する。
【００３６】
また、第３インターフェイス２３０Ａが、通信インターフェイスであると仮定した場合、送受信回路２３３Ａは、データが送受信される信号線に接続されたコネクター２３１Ａの電圧等の電気的な変化を検出して、画像信号の入力を検出する。送受信回路２３３Ａは、コネクター２３１Ａの電圧等の電気的な変化が検出された場合、画像信号の入力を通知する通知信号を制御部２７０Ａに出力する。また、送受信回路２３３Ａは、接続された外部装置からデータの送信要求を受信した場合に、画像信号の入力を検出してもよい。
【００３７】
プロジェクター２００Ａは、受付部としてリモコン受光部２０１Ａ及び操作パネル２０３Ａを備える。
リモコン受光部２０１Ａは、不図示のリモコンにより送信される赤外線信号を受光する。リモコンも受付部の一部として機能する。リモコン受光部２０１Ａは、受光した赤外線信号に対応した操作信号を制御部２７０Ａに出力する。操作信号は、操作されたリモコンのスイッチに対応した信号である。
操作パネル２０３Ａは、例えば、プロジェクター２００Ａの筐体に配置され、プロジェクター２００Ａの電源をオン、オフさせる電源スイッチ等の各種スイッチを備える。操作パネル２０３Ａのスイッチが操作されると、操作されたスイッチに対応した操作信号が制御部２７０Ａに入力される。
【００３８】
プロジェクター２００Ａは、カメラ２０５Ａを備える。カメラ２０５Ａは、いわゆるデジタルカメラである。カメラ２０５Ａは、ＣＣＤ（Charge Coupled Device）やＣＭＯＳ（Complementary Metal Oxide Semiconductor）等のイメージセンサーを備える。また、カメラ２０５Ａは、イメージセンサーの受光状態から撮像データを生成するデータ処理回路を備える。カメラ２０５Ａは、生成した撮像データを制御部２７０Ａに出力する。
【００３９】
プロジェクター２００Ａは、画像光ＰＬを投射する投射部２４０Ａと、投射部２４０Ａを駆動する駆動部２５０Ａとを備える。投射部２４０Ａは、光源２４１Ａ、光変調装置２４３Ａ及び光学ユニット２４５Ａを備える。駆動部２５０Ａは、駆動回路２５１Ａ及び光変調装置駆動回路２５３Ａを備える。
【００４０】
光源２４１Ａには、ハロゲンランプ、キセノンランプ、超高圧水銀ランプ等のランプ光源が用いられる。また、光源２４１Ａには、ＬＥＤ（Light Emitting Diode）やレーザー光源等の固体光源を用いてもよい。
【００４１】
また、光源２４１Ａには、駆動回路２５１Ａが接続される。駆動回路２５１Ａは、光源２４１Ａ及び制御部２７０Ａに接続され、制御部２７０Ａの制御に従って光源２４１Ａに駆動電流やパルスを供給し、光源２４１Ａを点灯又は消灯させる。
【００４２】
光変調装置２４３Ａは、光源２４１Ａが発する光を変調して画像光ＰＬを生成する光変調素子を備える。光変調装置２４３Ａは、光変調素子により変調された画像光ＰＬを光学ユニット２４５Ａに射出する。光変調素子には、例えば、透過型の液晶ライトバルブ、反射型の液晶ライトバルブ、デジタルミラーデバイス等を用いることができる。
【００４３】
光変調装置２４３Ａには、光変調装置駆動回路２５３Ａが接続される。光変調装置駆動回路２５３Ａは、画像処理部２６１Ａ及び光変調装置２４３Ａに接続され、画像処理部２６１Ａから入力される画像データに対応する画像を、光変調素子にフレーム単位で描画する。例えば、光変調装置２４３Ａが液晶ライトバルブで構成される場合、光変調装置駆動回路２５３Ａは液晶を駆動するドライバー回路により構成される。
【００４４】
光学ユニット２４５Ａは、レンズやミラー等の光学素子を備え、光変調装置２４３Ａで変調された画像光ＰＬをスクリーンＳＣに向けて投射する。これによりスクリーンＳＣには、画像光ＰＬに基づく画像が結像する。
【００４５】
プロジェクター２００Ａは、画像処理部２６１Ａ及びフレームメモリー２６３Ａを備える。画像処理部２６１Ａは、第１インターフェイス２１０Ａ、第２インターフェイス２２０Ａ及び第３インターフェイス２３０Ａのいずれかが受信した画像データをフレームメモリー２６３Ａに展開する。フレームメモリー２６３Ａは、例えば、ＳＤＲＡＭ（Synchronous Dynamic Random Access Memory）により構成される。
【００４６】
画像処理部２６１Ａは、フレームメモリー２６３Ａに展開した画像データに対して画像処理を行う。画像処理部２６１Ａが行う画像処理には、例えば、解像度変換処理又はリサイズ処理、歪曲収差の補正、形状補正処理、デジタルズーム処理、画像の色合いや輝度の調整等が含まれる。画像処理部２６１Ａは、制御部２７０Ａにより指定された処理を実行し、必要に応じて、制御部２７０Ａから入力されるパラメーターを使用して処理を行う。また、画像処理部２６１Ａは、上記のうち複数の画像処理を組み合わせて実行することも勿論可能である。画像処理部２６１Ａは、フレームメモリー２６３Ａから画像データを読み出し、読み出した画像データを光変調装置駆動回路２５３Ａに出力する。
【００４７】
画像処理部２６１Ａ及びフレームメモリー２６３Ａは、例えば、集積回路により構成される。集積回路には、ＬＳＩ、ＡＳＩＣ（Application Specific Integrated Circuit）、ＰＬＤ（Programmable Logic Device）、ＦＰＧＡ（Field-Programmable Gate Array）、ＳｏＣ（System-on-a-chip）等が含まれる。また、集積回路の構成の一部にアナログ回路が含まれていてもよく、制御部２７０Ａと集積回路とが組み合わされた構成であってもよい。
【００４８】
プロジェクター２００Ａは、制御部２７０Ａを備える。制御部２７０Ａは、記憶部２８０Ａ及びプロセッサー２９０Ａを備えるコンピューターである。記憶部２８０Ａは、ＲＡＭ（Random access memory）等の揮発性の記憶装置と、ＲＯＭ（Read Only Memory）やフラッシュメモリー等の不揮発性の記憶装置とにより構成される。記憶部２８０Ａは、プロセッサー２９０Ａが実行する制御プログラム２８１Ａを記憶する。
【００４９】
また、記憶部２８０Ａは、設定データ２８３Ａを記憶する。設定データ２８３Ａは、ユーザーがリモコン又は操作パネル２０３Ａを操作して設定したデータである。設定データ２８３Ａには、デイジーチェーン機能の有効又は無効を設定したデータと、デイジーチェーンにおける接続順位の情報とが含まれる。図１に示す接続状態の場合、プロジェクター２００Ａの接続順位が第１位に設定され、プロジェクター２００Ｂの接続順位が第２位に設定され、プロジェクター２００Ｃの接続順位が第３位に設定される。設定データ２８３Ａは、ユーザーがリモコン又は操作パネル２０３Ａを操作して変更することができる。
【００５０】
デイジーチェーン機能とは、複数台の装置をデイジーチェーンにより接続する機能である。具体的には、上位の装置から入力された画像信号を下位の装置に出力する機能や、上位の装置から供給される画像信号から画像データを取り出し、プロジェクター２００が表示を担当する画像データの部分を切り出す機能が含まれる。また、デイジーチェーン機能として、デイジーチェーン機能の設定が有効である場合に、インターフェイス２０７として、対応インターフェイスが選択されているか否かを判定する機能を含めてもよい。
【００５１】
また、対応インターフェイスとは、デイジーチェーン接続が可能なインターフェイスである。具体的には、上位の装置から入力された画像信号を、下位の装置に出力することが可能なインターフェイスである。本実施形態では、ＨＤＭＩ、又はＨＤＭＩに準拠したＨＤＢａｓｅＴに対応したインターフェイスが、対応インターフェイスに設定される。ＨＤＭＩ、又はＨＤＭＩに準拠したＨＤＢａｓｅＴの場合、上位の装置から受信したデジタルの画像信号を、下位の装置にそのまま出力することができる。
【００５２】
プロセッサー２９０Ａは、ＣＰＵ（Central Processing Unit）やＭＰＵ（Micro Processing Unit）により構成される演算処理装置である。プロセッサー２９０Ａは、制御プログラム２８１Ａを実行してプロジェクター２００Ａの各部を制御する。プロセッサー２９０Ａは、単一のプロセッサーにより構成してもよいし、複数のプロセッサーにより構成することも可能である。また、プロセッサー２９０Ａは、記憶部２８０Ａの一部又は全部や、その他の回路と統合されたＳｏＣ（System on Chip）により構成してもよい。また、プロセッサー２９０Ａは、プログラムを実行するＣＰＵと、所定の演算処理を実行するＤＳＰ（Digital Signal Processor）との組合せにより構成してもよい。さらに、プロセッサー２９０Ａの機能の全てをハードウェアに実装した構成としてもよく、プログラマブルデバイスを用いて構成してもよい。
【００５３】
制御部２７０Ａは、検出部２９１Ａ、選択部２９３Ａ、判定部２９５Ａ、機能制御部２９７Ａ及び表示制御部２９９Ａとして機能する。これらのブロックは、プロセッサー２９０Ａが制御プログラム２８１Ａに記述された命令セットを実行して、データの演算や制御を行うことにより実現される機能をブロックにより便宜的に示したものである。
【００５４】
検出部２９１Ａは、プロジェクター２００Ａが備える第１インターフェイス２１０Ａ、第２インターフェイス２２０Ａ及び第３インターフェイス２３０Ａへの画像信号の入力を検出する。検出部２９１Ａは、送受信回路２１３Ａ、２２３Ａ及び２３３Ａから入力される通知信号に基づいて、画像信号の入力があるインターフェイスを検出する。
【００５５】
選択部２９３Ａは、第１インターフェイス２１０Ａ、第２インターフェイス２２０Ａ及び第３インターフェイス２３０Ａのうち、投射部２４０Ａに投射させる画像光ＰＬの元になる画像信号が入力されるインターフェイス２０７Ａを選択する。選択部２９３Ａが選択するインターフェイス２０７Ａは、選択部２９３Ａがインターフェイス２０７Ａを選択した時点で、画像信号が入力されていなくてもよい。選択部２９３Ａにより選択され、画像光ＰＬの元になる画像信号が入力されるインターフェイス２０７Ａを表示ソースという。
【００５６】
例えば、選択部２９３Ａは、プロジェクター２００Ａの電源がオフされる直前に、表示ソースとして選択されていたインターフェイス２０７Ａの情報を記憶部２８０Ａに記憶させる。そして、選択部２９３Ａは、プロジェクター２００Ａの電源がオンされ、プロセッサー２９０Ａが起動すると、記憶部２８０Ａを参照して、前回、表示ソースに選択したインターフェイス２０７Ａを、今回の表示ソースに選択する。
【００５７】
また、選択部２９３Ａは、起動時以外の動作として、インターフェイス２０７Ａに画像信号の入力がない状態で、検出部２９１Ａにより画像信号の入力が検出されると、入力が検出されたインターフェイス２０７Ａを表示ソースに切り替える。また、選択部２９３Ａは、リモコン又は操作パネル２０３Ａの操作に選択されたインターフェイス２０７Ａを表示ソースとして選択してもよい。
【００５８】
判定部２９５Ａは、プロセッサー２９０Ａの起動時、設定データ２８３Ａを参照してプロジェクター２００Ａの設定を判定する。判定部２９５Ａは、プロジェクター２００Ａの接続順位が第１位、すなわちマスター機であり、デイジーチェーン機能が有効に設定されているか否かを判定する。判定部２９５Ａは、デイジーチェーン機能が無効に設定されている場合、表示ソースの変更は行わず、選択部２９３Ａにより選択されたインターフェイス２０７Ａをそのまま表示ソースとする。
【００５９】
また、判定部２９５Ａは、プロジェクター２００Ａの接続順位が第１位であり、デイジーチェーン機能が有効に設定されている場合、表示ソースとして選択したインターフェイスが、対応インターフェイスであるか否かを判定する。本実施形態の場合、判定部２９５Ａは、第１インターフェイス２１０Ａ又は第２インターフェイス２２０Ａが、表示ソースとして選択されているか否かを判定する。
【００６０】
機能制御部２９７Ａは、デイジーチェーン機能の実行を制御する。機能制御部２９７Ａが実行を制御するデイジーチェーン機能には、例えば、画像信号出力機能や、画像切出し機能が含まれる。
【００６１】
画像信号出力機能は、上位の装置から受信した画像信号を、下位の装置に出力する機能である。例えば、図２に示すように、プロジェクター２００Ａの上位に画像供給装置１００が接続され、プロジェクター２００Ａの後段にプロジェクター２００Ｂが接続されたと仮定する。この場合、プロジェクター２００Ａは、画像供給装置１００から受信した画像信号を、後段のプロジェクター２００Ｂに出力する。
【００６２】
また、画像切出し機能は、画像データから、画像データの一部分のデータである部分画像データを切り出す機能である。機能制御部２９７Ａは、部分画像データとして切り出す切出範囲情報を画像処理部２６１Ａに出力し、画像処理部２６１Ａに部分画像データの切り出しを実行させる。切出範囲情報は、例えば、ユーザーのリモコン又は操作パネル２０３Ａの操作により設定してもよいし、カメラ２０５Ａの撮像データに基づいて切出範囲情報を生成してもよい。
【００６３】
カメラ２０５Ａの撮像データに基づいて切出範囲情報を生成する場合、まず、プロジェクター２００Ａ、２００Ｂ及び２００Ｃが、予め用意されたパターン画像をスクリーンＳＣに表示する。そして、プロジェクター２００Ａ、２００Ｂ及び２００Ｃは、パターン画像が表示されたスクリーンＳＣをカメラ２０５Ａ、２０５Ｂ、２０５Ｃでそれぞれ撮像して撮像データを生成する。その後、プロジェクター２００Ａ、２００Ｂ及び２００Ｃは、撮像データからプロジェクター２００Ａ、２００Ｂ及び２００Ｃが表示させたパターン画像が表示された画像範囲を検出する。この画像範囲が、プロジェクター２００Ａ、２００Ｂ及び２００Ｃが投射する画像光ＰＬにより画像が表示される範囲の全体となる。
【００６４】
次に、プロジェクター２００Ａが単独でパターン画像をスクリーンＳＣに表示し、パターン画像が表示されたスクリーンＳＣをカメラ２０５Ａで撮像して撮像データを生成する。プロジェクター２００Ａは、撮像データからパターン画像が撮像された範囲を検出して、プロジェクター２００Ａが表示させたパターン画像が表示された画像範囲を検出する。この処理を、プロジェクター２００Ｂ、２００Ｃもそれぞれ行う。プロジェクター２００Ａは、プロジェクター２００Ａ、２００Ｂ及び２００Ｃが表示する全体の画像範囲と、プロジェクター２００Ａが表示する画像範囲とに基づき、プロジェクター２００Ａの切出範囲情報を生成する。また、他のプロジェクター２００Ｂ、２００Ｃについても、同様に処理を行い、切出範囲情報を生成する。
【００６５】
また、機能制御部２９７Ａは、所定の条件が成立した場合、設定データ２８３Ａによりデイジーチェーン機能が有効に設定されていても、デイジーチェーン機能を実行させない。この所定の条件は、設定データ２８３Ａに設定されたプロジェクター２００Ａの接続順位が第１位であって、デイジーチェーン機能が有効に設定されているが、選択された表示ソースが対応インターフェイスではない場合である。
機能制御部２９７Ａは、例えば、設定データ２８３Ａのうち、デイジーチェーン機能の設定に関するデータを無効に書き替えることで、デイジーチェーン機能が実行されないようにしてもよい。また、機能制御部２９７Ａは、画像処理部２６１Ａや、第１インターフェイス２１０Ａ又は第２インターフェイス２２０Ａに、デイジーチェーン機能の実行を指示しないようにしてもよい。
【００６６】
表示制御部２９９Ａは、インターフェイス２０７Ａから画像処理部２６１Ａに入力される画像データを制御する。表示制御部２９９Ａは、判定部２９５Ａの判定結果に基づき、画像処理部２６１Ａに画像データを出力させるインターフェイス２０７Ａを選択し、選択したインターフェイス２０７Ａに画像データを出力するように指示する。表示制御部２９９Ａの指示を受けたインターフェイス２０７Ａは、受信した画像信号から画像データを取り出し、取り出した画像データを画像処理部２６１Ａに出力する。
【００６７】
次に、プロジェクター２００がスレーブ機に設定された場合の制御部２７０の動作を説明する。以下では、プロジェクター２００Ｂの制御部２７０Ｂの動作を代表して説明する。
選択部２９３Ｂも、プロジェクター２００Ｂの電源がオフされる直前に、表示ソースとして選択されていたインターフェイス２０７Ｂの情報を記憶部２８０Ｂに記憶させる。そして、選択部２９３Ｂは、プロジェクター２００Ｂの電源がオンされ、起動すると、記憶部２８０Ｂを参照して、前回、表示ソースに選択したインターフェイス２０７Ｂを表示ソースに選択する。
【００６８】
判定部２９５Ｂは、デイジーチェーン機能が無効に設定されている場合、表示ソースの変更は行わず、選択部２９３Ｂにより選択されたインターフェイス２０７Ｂをそのまま表示ソースとする。
【００６９】
また、判定部２９５Ｂは、デイジーチェーン機能が有効に設定され、プロジェクター２００Ｂの接続順位が第２位又は第３位の場合、表示ソースとして選択したインターフェイスが、予め設定された対応インターフェイスであるか否かを判定する。
スレーブ機であるプロジェクター２００Ｂ及びプロジェクター２００Ｃの場合、ＨＤＭＩに対応したインターフェイスを複数有していても、予め設定された１つのインターフェイスが対応インターフェイスに設定される。本実施形態では、プロジェクター２００Ｂの第１インターフェイス２１０Ｂが対応インターフェイスに設定され、プロジェクター２００Ｃの第１インターフェイス２１０Ｃが対応インターフェイスに設定される。
判定部２９５Ｂは、選択部２９３Ｂが表示ソースとして選択したインターフェイスが、予め設定された対応インターフェイスではない場合、予め設定された対応インターフェイスである第１インターフェイス２１０Ｂを表示ソースとして選択する。また、判定部２９５Ｂは、選択部２９３Ｂが表示ソースとして選択したインターフェイスが、予め設定された対応インターフェイスである場合、表示ソースとして選択したインターフェイス２０７Ｂの変更は行わない。
【００７０】
機能制御部２９７Ｂは、デイジーチェーン機能が無効に設定されている場合、デイジーチェーン機能が実行されないようにインターフェイス２０７Ｂや、画像処理部２６１Ｂを制御する。また、機能制御部２９７Ｂは、デイジーチェーン機能が有効に設定され、選択された表示ソースが対応インターフェイスである場合、デイジーチェーン機能が実行されるようにインターフェイス２０７Ｂや、画像処理部２６１Ｂを制御する。
【００７１】
また、第１インターフェイス２１０Ｂ以外のインターフェイス、例えば、第２インターフェイス２２０Ｂが表示ソースとして選択され、第２インターフェイス２２０Ｂに入力される画像信号に基づく画像光ＰＬを投射部２４０Ｂにより投射していると仮定する。
そして、検出部２９１Ｂにより画像信号の入力があるインターフェイス２０７Ｂが検出され、検出されたインターフェイス２０７Ｂが、第１インターフェイス２１０Ｂであると仮定する。この場合、選択部２９３Ｂは、表示ソースを第２インターフェイス２２０Ｂから第１インターフェイス２１０Ｂに切り替える。
【００７２】
表示制御部２９９Ｂは、表示ソースが第１インターフェイス２１０Ｂに切り替えられると、第２インターフェイス２２０Ｂに、画像データの画像処理部２６１Ｂへの出力を停止させる。また、表示制御部２９９Ｂは、第１インターフェイス２１０Ｂに、画像データを画像処理部２６１Ｂに出力するように指示する。これにより、他のインターフェイス２０７Ｂに入力された画像信号に基づく画像の表示中であっても、この画像の表示を中止して、第１インターフェイス２１０Ｂに入力された画像信号に基づく画像を表示させることができる。
【００７３】
図３は、プロジェクター２００の動作を示すフローチャートである。
ここでは、マスター機であるプロジェクター２００と、スレーブ機であるプロジェクター２００Ｂ、２００Ｃとを区別せず、プロジェクター２００の動作として説明する。
プロジェクター２００の電源スイッチがオンされ、プロジェクター２００に電源が供給されると、制御部２７０は起動して（ステップＳ１）、処理を開始する。まず、制御部２７０は、画像信号の入力があるインターフェイス２０７を判定する（ステップＳ２）。例えば、画像信号を受信した場合に、送受信回路２１３、２２３、２３３から入力される通知信号に基づいて、制御部２７０は、画像信号の入力があるインターフェイス２０７を判定する。ここで、制御部２７０は、画像信号の入力があるインターフェイス２０７がない場合には、「なし」とのデータを記憶部２８０に記憶させる。また、制御部２７０は、画像信号の入力があるインターフェイス２０７がある場合、画像信号の入力があるインターフェイス２０７の識別データを記憶部２８０に記憶させる。
【００７４】
次に、制御部２７０は、プロジェクター２００の電源がオフされる前に、表示ソースに設定されていたインターフェイス２０７を表示ソースに設定する（ステップＳ３）。ステップＳ３は、本発明の「選択するステップ」に相当する。
【００７５】
次に、制御部２７０は、表示ソースに設定したインターフェイス２０７に画像信号の入力があるか否かを判定する（ステップＳ４）。表示ソースに設定したインターフェイス２０７に画像信号の入力がある場合（ステップＳ４／ＹＥＳ）、制御部２７０は、ステップＳ７の判定に移行する。
また、表示ソースに設定したインターフェイス２０７に画像信号の入力がない場合（ステップＳ４／ＮＯ）、制御部２７０は、画像信号の入力がある他のインターフェイス２０７があるか否かを判定する（ステップＳ５）。画像信号の入力がある他のインターフェイス２０７がない場合（ステップＳ５／ＮＯ）、制御部２７０は、表示ソースの切り替えを行わずにステップＳ７の判定に移行する。
【００７６】
また、画像信号の入力がある他のインターフェイス２０７がある場合（ステップＳ５／ＹＥＳ）、制御部２７０は、表示ソースを、この画像信号の入力がある他のインターフェイス２０７に変更する（ステップＳ６）。ここで、画像信号の入力がある他のインターフェイス２０７が複数ある場合、インターフェイス２０７の各々に予め設定した優先度に基づいて、優先度の高いインターフェイス２０７を表示ソースに設定してもよい。
【００７７】
次に、制御部２７０は、設定データ２８３を参照して、デイジーチェーン機能が有効に設定されているか否かを判定する（ステップＳ７）。制御部２７０は、デイジーチェーン機能が無効に設定されている場合（ステップＳ７／ＮＯ）、この処理フローを終了させる。また、制御部２７０は、デイジーチェーン機能が有効に設定されている場合（ステップＳ７／ＹＥＳ）、設定データ２８３を参照して、プロジェクター２００自身がマスター機であるか否かを判定する（ステップＳ８）。すなわち、制御部２７０は、プロジェクター２００がデイジーチェーン接続の第１位のプロジェクターであるか否かを判定する。
【００７８】
制御部２７０は、プロジェクター２００がマスター機ではない場合（ステップＳ８／ＮＯ）、すなわち、スレーブ機である場合、予め設定されたインターフェイス２０７が表示ソースに設定されているか否かを判定する（ステップＳ９）。例えば、プロジェクター２００Ｂの第１インターフェイス２１０Ｂ、プロジェクター２００Ｃの第１インターフェイス２１０Ｃが予め設定されたインターフェイス２０７に設定されている。
制御部２７０は、表示ソースが、予め設定されたインターフェイス２０７ではない場合（ステップＳ９／ＮＯ）、表示ソースを、予め設定されたインターフェイス２０７に変更する（ステップＳ１０）。ステップＳ９及びＳ１０の判定が、請求項２の「選択するステップ」に相当する。また、制御部２７０は、予め設定されたインターフェイス２０７が表示ソースに設定されている場合（ステップＳ９／ＹＥＳ）、ステップＳ１２の処理に移行する。
【００７９】
また、制御部２７０は、プロジェクター２００がマスター機である場合（ステップＳ８／ＹＥＳ）、表示ソースに設定したインターフェイス２０７が、ＨＤＭＩの規格に準拠したインターフェイス２０７であるか否かを判定する（ステップＳ１１）。ステップＳ１１は、本発明の「判定するステップ」に相当する。表示ソースに設定したインターフェイス２０７が、ＨＤＭＩの規格に準拠したインターフェイス２０７ではない場合（ステップＳ１１／ＮＯ）、制御部２７０は、デイジーチェーン機能が実行されないように制御を行う。具体的には、制御部２７０は、第１インターフェイス２１０が、受信した画像信号を第２インターフェイス２２０に出力しないように制御する。また、制御部２７０は、画像処理部２６１に切出範囲情報を出力せず、画像処理部２６１に画像データを部分画像データに分割する処理を実行させない。この処理が、本発明の「機能を実行させない状態に移行させるステップ」に相当する。
【００８０】
また、制御部２７０は、表示ソースに設定したインターフェイス２０７が、ＨＤＭＩの規格に準拠したインターフェイス２０７である場合（ステップＳ１１／ＹＥＳ）、このインターフェイス２０７に画像信号の入力があるか否かを判定する（ステップＳ１２）。制御部２７０は、表示ソースに設定したインターフェイス２０７に画像信号の入力がない場合（ステップＳ１２／ＮＯ）、デイジーチェーン機能を実行せずにこの処理フローを終了させる。この処理フローの終了後、表示ソースに設定したインターフェイス２０７に画像信号の入力が検出されると、制御部２７０は、デイジーチェーン機能を実行する。また、制御部２７０は、表示ソースに設定したインターフェイス２０７に画像信号の入力がある場合（ステップＳ１２／ＹＥＳ）、デイジーチェーン機能を実行する（ステップＳ１３）。
【００８１】
図４は、スレーブ機であるプロジェクター２００Ｂ及び２００Ｃの動作を示すフローチャートである。特に図４は、予め設定されたインターフェイス２０７である第１インターフェイス２１０Ｂ、２１０Ｃに画像信号の入力が検出された場合のプロジェクター２００Ｂ及び２００Ｃの動作を示す。プロジェクター２００Ｂ及び２００Ｃは、同一の動作を行うため、以下では、プロジェクター２００Ｂの動作を例にして説明する。
【００８２】
まず、制御部２７０Ｂは、設定データ２８３Ｂを参照して、デイジーチェーン機能が有効であるか否かを判定する（ステップＳ２１）。制御部２７０Ｂは、デイジーチェーン機能が有効に設定されていない場合（ステップＳ２１／ＮＯ）、この処理フローを終了させる。
【００８３】
また、制御部２７０Ｂは、デイジーチェーン機能が有効に設定されている場合（ステップＳ２１／ＹＥＳ）、予め設定された第１インターフェイス２１０Ｂに画像信号が入力されているか否かを判定する（ステップＳ２２）。ステップＳ２２は、請求項３の「画像信号の入力を検出するステップ」に相当する。制御部２７０Ｂは、予め設定された第１インターフェイス２１０Ｂに画像信号が入力されていない場合（ステップＳ２３／ＮＯ）、予め設定された所定時間待機する（ステップＳ２４）。その後、制御部２７０Ｂは、デイジーチェーン機能が有効に設定されているか否かを再度、判定する（ステップＳ２１）。
【００８４】
また、制御部２７０Ｂは、予め設定された第１インターフェイス２１０Ｂに画像信号が入力されている場合（ステップＳ２３／ＹＥＳ）、表示ソースを、第１インターフェイス２１０Ｂに変更する（ステップＳ２５）。つまり、制御部２７０Ｂは、例えば、第３インターフェイス２３０Ｂに画像信号が入力され、入力された画像信号に基づく画像光ＰＬをスクリーンＳＣに投射している場合であっても、この画像光ＰＬの投射を中止して、第１インターフェイス２１０Ｂに入力された画像信号に基づく画像光ＰＬを投射させる。表示ソースの変更後、制御部２７０Ｂは、デイジーチェーン機能を実行する（ステップＳ２６）。すなわち、変更された第１インターフェイス２１０Ｂに入力される画像信号に基づく画像光ＰＬが投射部２４０Ｂにより投射される。ステップＳ２５及びＳ２６は、請求項３及び請求項４の「表示させるステップ」に相当する。
【００８５】
以上説明したように本実施形態のプロジェクター２００は、複数のインターフェイスとして、第１インターフェイス２１０、第２インターフェイス２２０及び第３インターフェイス２３０を備える。また、プロジェクター２００は、選択部２９３、判定部２９５及び機能制御部２９７を備える。
選択部２９３は、これらの複数のインターフェイスのうち、プロジェクター２００に表示させる画像信号が入力されるインターフェイスを選択する。
判定部２９５は、選択部２９３により選択されたインターフェイスがデイジーチェーン接続可能な対応インターフェイスであるか否か判定する。
機能制御部２９７は、条件が成立した場合に、デイジーチェーン接続された状態において実行可能なデイジーチェーン機能を実行させない。この条件は、選択されたインターフェイスが、対応インターフェイスではなく、プロジェクター２００が他のプロジェクター２００とデイジーチェーン接続された状態において実行可能なデイジーチェーン機能が有効に設定されている場合である。
従って、選択されたインターフェイスが、対応インターフェイスではない場合、デイジーチェーン接続された状態において実行可能なデイジーチェーン機能が有効に設定されていても、このデイジーチェーン機能が実行されない。このため、ユーザーの使い勝手を向上させることができる。
【００８６】
また、選択部２９３は、プロジェクター２００の起動時に、プロジェクター２００のデイジーチェーン機能が有効に設定されており、かつプロジェクター２００がスレーブに設定されている場合、対応インターフェイスを選択する。
従って、デイジーチェーン機能を有効に設定し、かつプロジェクター２００をスレーブに設定しておくことで、プロジェクター２００の起動時に対応インターフェイスを選択させることができる。このため、ユーザーの使い勝手を向上させることができる。
【００８７】
また、プロジェクター２００は、検出部２９１を備える。
検出部２９１は、複数のインターフェイスへの画像信号の入力を検出する。
選択部２９３は、デイジーチェーン機能が有効に設定されており、かつスレーブに設定されている場合であって、検出部２９１により対応インターフェイスへの画像信号の入力が検出された場合、対応インターフェイスを選択する。
従って、対応インターフェイスに画像信号の入力が検出された場合に、この対応インターフェイスに入力された画像信号に基づく画像光ＰＬをプロジェクター２００に投射させることができる。
【００８８】
また、プロジェクター２００は、表示制御部２９７を備える。
表示制御部２９７は、複数のインターフェイスのいずれかに入力される画像信号に基づく画像を、投射部２４０に投射させる。
対応インターフェイス以外の他のインターフェイスに入力された画像信号に基づく画像をプロジェクター２００により表示させた状態において、選択部２９３により対応インターフェイスが選択されると、表示制御部２９７は、他のインターフェイスに入力された画像信号に基づく画像の表示を中止し、対応インターフェイスに入力された画像信号に基づく画像を投射部２４０に投射させる。
従って、他のインターフェイスに入力された画像信号に基づく画像光ＰＬが投射されていても、対応インターフェイスへの画像信号の入力が検出されると、この対応インターフェイスに入力された画像信号に基づく画像光ＰＬを投射させることができる。
【００８９】
また、対応インターフェイスは、ＨＤＭＩ又はＨＤＢａｓｅＴに対応したインターフェイスである。
従って、デジタル入力された画像信号をそのまま後段のプロジェクター２００に出力することができる。
【００９０】
上述した実施形態は、本発明の好適な実施の形態である。ただし、上述の形態に限定されるものではなく、本発明の要旨を逸脱しない範囲内で種々の変形実施が可能である。
例えば、上述した実施形態では、プロジェクター２００が備えるインターフェイス２０７が有線に対応したインターフェイスである場合について説明した。また、対応インターフェイスが、ＨＤＭＩインターフェイスに対応したインターフェイスである場合について説明した。変形例として、対応インターフェイスは、ＨＤＭＩに準拠した無線規格であるＨＤＢａｓｅＴに対応したインターフェイスであってもよい。例えば、プロジェクター２００Ａの第１インターフェイス２１０Ａ及び第２インターフェイス２２０Ａの少なくとも一方が、ＨＤＢａｓｅＴに対応したインターフェイスであってもよい。プロジェクター２００Ｂ及び２００Ｃについても同様である。
【００９１】
また、上述の実施形態では、光変調装置２４３が備える光変調素子は、透過型の液晶パネルであってもよいし、反射型の液晶パネルであってもよい。また、光変調素子は、デジタルミラーデバイスを用いた構成であってもよいし、デジタルミラーデバイスとカラーホイールを組み合わせた構成としてもよい。また、光変調装置２４３は、液晶パネル及びＤＭＤ以外に、光源が発した光を変調可能な構成を採用しても良い。
【００９２】
また、図２に示したプロジェクター２００Ａの各機能部は、機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、また、ハードウェアで実現される機能の一部をソフトウェアで実現してもよい。その他、プロジェクターの他の各部の具体的な細部構成についても、本発明の趣旨を逸脱しない範囲で任意に変更可能である。
【００９３】
また、図３及び図４に示すフローチャートの処理単位は、プロジェクター２００の処理を理解容易にするために、主な処理内容に応じて分割したものである。図３及び図４のフローチャートに示す処理単位の分割の仕方や名称によって本発明が制限されることはない。また、制御部２７０の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【００９４】
また、表示装置の制御方法を、プロジェクター２００が備えるコンピューターを用いて実現する場合、このコンピューターに実行させるプログラムを記録媒体、又はこのプログラムを伝送する伝送媒体の態様で構成することも可能である。記録媒体には、磁気的、光学的記録媒体又は半導体メモリーデバイスを用いることができる。具体的には、フレキシブルディスク、ＨＤＤ（Hard Disk Drive）、ＣＤ−ＲＯＭ、ＤＶＤ、Ｂｌｕ−ｒａｙ Ｄｉｓｃ、光磁気ディスク、フラッシュメモリー、カード型記録媒体等の可搬型、或いは固定式の記録媒体が挙げられる。また、上記記録媒体は、サーバー装置が備える内部記憶装置であるＲＡＭ、ＲＯＭ、ＨＤＤ等の不揮発性記憶装置であってもよい。Ｂｌｕ−ｒａｙは、登録商標である。
【符号の説明】
【００９５】
１…システム、１０Ａ、１０Ｂ、１０Ｃ…投射領域、２０、３０…ＨＤＭＩケーブル、１００…画像供給装置、２００、２００Ａ、２００Ｂ、２００Ｃ…プロジェクター、２０１…リモコン受光部、２０３…操作パネル、２０５…カメラ、２０７…インターフェイス、２１０…第１インターフェイス、２２０…第２インターフェイス、２３０…第３インターフェイス、２１１、２２１、２３１…コネクター、２１３、２２３、２３３…送受信回路、２４０…投射部、２４１…光源、２４３…光変調装置、２４５…光学ユニット、２５０…駆動部、２５１…駆動回路、２５３…光変調装置駆動回路、２６１…画像処理部、２６３…フレームメモリー、２７０…制御部、２８０…記憶部、２８１…制御プログラム、２８３…設定データ、２９０…プロセッサー、２９１…検出部、２９３…選択部、２９５…判定部、２９７…機能制御部。２９９…表示制御部。
【図１】
2020202477.tif 000003
【図２】
2020202477.tif 000004
【図３】
2020202477.tif 000005
【図４】
2020202477.tif 000006